(57)【要約】  筐体（１６）と、第１側部（４４）および第２側部（４６）を有する掛け金（１４）とを備える施錠機構（１０）。掛け金（１４）は、第１側部および第２側部（４４および４６）がそれぞれ筐体（１６）と係合する一次閉鎖位置と、第１側部（４４）が筐体（１６）と係合し第２側部（４６）が筐体（１６）から外れる一次開放位置との間で摺動可能である。筐体（１６）内にポート（６５）が設けられ、一次閉鎖位置で掛け金（１４）の第１側部（４４）の一部を露出させる。このポート（６５）を介して掛け金（１４）を切断することで掛け金（１４）が一次開放位置から二次開放位置に移動することが可能になり、掛け金（１４）はそこから二次閉鎖位置へと戻るように移動することができる。【選択図】図１ａ
2012519243.tif 000002
【特許請求の範囲】
【請求項１】
筐体と、
第１側部および第２側部を有し、前記１および第２側部がそれぞれ前記前記筐体と係合する一次閉鎖位置と、前記第１側部が前記筐体と係合し前記第２側部が前記筐体から外れる一次開放位置との間で摺動可能な掛け金と、
前記一次閉鎖位置において前記掛け金の前記第１側部の一部を露出させる前記筐体内のポートとを備え、
前記ポートを介して前記掛け金を切断することにより、前記掛け金が前記一次開放位置から二次開放位置へと移動し、前記掛け金がそこから二次閉鎖位置へと戻るように移動することができる施錠機構。
【請求項２】
前記一次閉鎖位置で前記掛け金と係合し、鍵を使用して操作することによって前記掛け金から解放可能である一次ラッチ部材と、
前記一次開放位置および一次閉鎖位置で前記掛け金から分離される二次ラッチ部材とをさらに備え、
前記掛け金を切断しそれが前記二次開放位置に移動することにより前記二次ラッチ部材が解放され、その結果前記掛け金が前記二次閉鎖位置に移動する際、前記二次ラッチ部材が掛け金と自由に係合する、請求項１に記載の施錠機構。
【請求項３】
前記掛け金が、前記鍵を利用して操作することによって前記二次閉鎖位置から開放させることができ、その後前記掛け金を前記筐体から取り外して交換することができる、請求項２に記載の施錠機構。
【請求項４】
前記掛け金の前記第１側部が前記第２側部より長く、前記一次ラッチ部材が、前記掛け金の前記第１側部の方向に直交する方向で前記筐体内のスロット内で摺動可能であり、その結果前記掛け金が前記一次閉鎖位置に移動する際、前記一次ラッチ部材の第１端部が、その端部に隣接する前記掛け金の前記第１側部にある第１ノッチ内に収容される、請求項３に記載の施錠機構。
【請求項５】
前記一次ラッチ部材が、前記スロット内に配置され前記一次ラッチ部材を付勢して前記掛け金の前記第１側部の方に移動させる一次ラッチばねを含む、請求項４に記載の施錠機構。
【請求項６】
前記第１ノッチが、前記掛け金が前記一次閉鎖位置から摺動する際、前記一次ラッチ部材が持ち上がって前記第１ノッチから出ることができるように先細になった側部を含む、請求項５に記載の施錠機構。
【請求項７】
摺動部材が設けられ、該摺動部材が、前記筐体内に前記鍵を挿入することによって第１施錠位置と第２解錠位置との間で可動であり、前記第１施錠位置においてこのスライダーが前記一次ラッチ部材と係合して前記一次ラッチ部材が移動して前記第１ノッチから出るのを阻止し、これにより前記掛け金が前記一次開放位置に移動するのを阻止する、請求項６に記載の施錠機構。
【請求項８】
前記摺動部材が摺動式のバーであり、その第１端部が、前記第２解錠位置に移動する際前記掛け金の前記第２側部の遠位端と係合して前記掛け金を前記一次開放位置へと移動させる、請求項７に記載の施錠機構。
【請求項９】
前記バーの第２端部が、前記一次閉鎖位置において前記一次ラッチ部材と係合して前記一次ラッチ部材の前記第１ノッチから出る動きを阻止する、請求項８に記載の施錠機構。
【請求項１０】
前記掛け金の前記第１側部と第２側部の間に延在し、前記二次ラッチ部材がその中に摺動可能に配置されるスロットと、
前記一次閉鎖位置にあるとき前記掛け金の前記第２側部がこの部分を貫通して係合する前記二次ラッチ部材にある切り抜き部と、
二次ラッチばねと、
前記掛け金の前記第１側部に設けられた第二ノッチとをさらに備え、
前記バーがその施錠位置に移動することで前記二次ラッチばねを移動させて前記二次ラッチ部材を前記掛け金の前記第１側部の方に移動させるように一定の力を加え、前記掛け金の切断された部分が移動することによって前記二次ラッチ部材を解放して前記掛け金の前記第１側部の方に移動させ、前記二次閉鎖位置に戻るように移動する際前記二次ラッチ部材が前記第２ノッチに係合することができる、請求項２から９のいずれか一項に記載の施錠機構。
【請求項１１】
前記筐体が第１および第２端部壁と、第１および第２側壁とを含み、前記第１端部壁が、前記掛け金の前記第１および第２側部を収容するための第１および第２凹部を含む、請求項１〜１０のいずれか一項に記載の施錠機構。
【請求項１２】
前記第１凹部が前記第２側壁に隣接して位置し、前記第２凹部が前記第１側壁に隣接して位置し、前記ポートが第前記２側壁内に位置する、請求項１１に記載の施錠機構。
【請求項１３】
前記バーが前記第１側壁に隣接して前記掛け金の前記第２側部と同一直線上に位置し、前記第１側壁が、前記バーと係合しかつこれを前記施錠位置から前記解錠位置に解放するように前記鍵を収容する鍵溝を備える、請求項１２に記載の施錠機構。
【請求項１４】
前記切断された掛け金を前記筐体内に保持するために掛け金保持器が設けられる、請求項１〜１３のいずれか一項に記載の施錠機構。
【請求項１５】
前記掛け金保持器が可撓性のストリップ材であり、その第１端部が前記筐体内部に固定され、その第２端部が、前記掛け金の前記第１側部のその細くなった部分にもたれ掛かることで、前記切断された掛け金が前記筐体の外に向かって移動する際、前記第２端部がこの細くなった部分の縁部と係合して前記掛け金が前記筐体から完全に離脱するのを阻止する、請求項１４に記載の施錠機構。
【請求項１６】
筐体内に摺動可能に設置され、そのそれぞれがその長さに沿った所定の位置において中に開口を有する１つまたは複数のロックウエハーと、
前記筐体内を長手方向に摺動するように設置され、その長さに沿って隆起部を有する摺動部材と、
前記各ウエハーと係合する係合部を有する関連する鍵と、
前記摺動部材と連通する解除機構とを備え、
前記関連する鍵の前記係合部が前記ウエハーと係合しこれを移動させることで、各ウエハーの前記開口と前記摺動部材の前記隆起部が位置合わせされ、前記摺動部材が施錠位置から解錠位置に長手方向に摺動することが可能になり、これにより前記解除機構を作動させる施錠機構。
【請求項１７】
前記摺動部材が前記開口内を通過するバーである、請求項１６に記載の施錠機構。
【請求項１８】
前記各ウエハーが前記筐体内のスロット内に位置しており、前記スロットの第１端部と前記関連するウエハーの間にウエハーばねが設けられ、その結果前記鍵によって前記ウエハーが係合することで前記ウエハーばねが圧縮される、請求項１７に記載の施錠機構。
【請求項１９】
各ウエハーが概ね平坦な矩形の板であり、各開口が少なくともその長さの一部に沿って延在する、請求項１８に記載の施錠機構。
【請求項２０】
前記鍵が平たいカードであり、前記係合部が前記鍵の第１縁部から一定の距離だけそれぞれ引っ込んだ切り抜き部であり、その結果前記各ウエハーが、前記各々の切り抜き部によって事前設定された距離を移動されて前記ウエハー内の前記開口と位置合わせされる、請求項１６から１９のいずれか一項に記載の施錠機構。
【請求項２１】
筐体と、
第１側部および第２側部を有し、前記第１および第２側部がそれぞれ前記筐体と係合する閉鎖位置と、前記第１側部が前記筐体と係合し、前記第２側部が前記筐体から外れる開放位置との間で摺動可能な掛け金とを備える南京錠に設けられる、請求項２０に記載の施錠機構。
【請求項２２】
前記掛け金の前記第１側部にある第１ノッチと、一次ラッチ部材とが設けられ、その結果前記掛け金が前記閉鎖位置にあるとき前記一次ラッチの一端が前記第１ノッチに収容され、前記施錠位置にあるとき前記バーが前記一次ラッチ部材と係合して前記一次ラッチ部材が移動して第１ノッチから出るのを阻止し、これにより前記掛け金が前記開放位置に移動するのを阻止する、請求項２１に記載の施錠機構。
【請求項２３】
前記一次ラッチ部材が、前記スロット内に配置され、前記一次ラッチ部材を付勢して前記掛け金の前記第１側部の方に移動させる一次ラッチばねを含む、請求項２２に記載の施錠機構。
【請求項２４】
前記第１ノッチが、前記掛け金が前記一次閉鎖位置から摺動する際、前記一次ラッチ部材が持ち上がって前記第１ノッチから出ることができるように先細になった側部を含む、請求項２３に記載の施錠機構。
【発明の詳細な説明】
【技術分野】
【０００１】
本発明は、例えば南京錠など鍵を使用して開けることができる装置での利用することを目的とした施錠機構に関する。
【背景技術】
【０００２】
多くの製品が施錠機構を採用しており、そこではその製品にアクセスしようとする人が適切な鍵手段を持たない限り不正なアクセスは阻止される。利用できる最も一般的な施錠機構は、標準的なシリンダロックで使用されるピンタンブラー機構である。この機構は比較的容易に生産される一方で、その機能がよく知られており、ピッキング、バンピング、レーキング、ドリリングなどの複数の既知の手法を被りやすい。
【発明の概要】
【発明が解決しようとする課題】
【０００３】
本発明は、上記に挙げた手法に対する抵抗性が改善された改良型の施錠機構を提供することを目的としている。また本発明の施錠機構は、多くの鍵の並べ替えが可能な比較的簡単な機構の錠前を提供することを目的としている。
【０００４】
別の問題は、空港などの場所の警備スタッフが施錠装置によって保証されている荷物の物品にアクセスすることができるという点に関するものである。無作為な検査が荷物に行なわれるのが一般的であり、検査される荷物を保証する施錠装置は一般に一組のボルトカッターによって単に錠前の掛け金を切断するだけで開けられる。本発明はまた、例えば南京錠などの施錠装置で使用され、例えばボルトカッターなどの一般的な工具によってこの装置を開けることができ、開放した後でこの装置をその後再施錠することが可能であり、かつこの施錠装置が検査の際に開けられたことの視覚的な指示を提供する施錠機構に関する。
【課題を解決するための手段】
【０００５】
本発明の一態様によって、
筐体と、
第１側部および第２側部を有し、第１および第２側部がそれぞれ筐体と係合する一次閉鎖位置と、第１側部が筐体と係合し第２側部が筐体から外れる一次開放位置との間で摺動可能な掛け金と、
一次閉鎖位置において掛け金の第１側部の一部を露出させる筐体内のポートとを備え、
このポートを介して掛け金を切断することにより、掛け金が一次開放位置から二次開放位置へと移動し、掛け金がそこから二次閉鎖位置へと戻るように移動することができる施錠機構が提供される。
【０００６】
好ましくは、施錠機構はさらに、
一次閉鎖位置で掛け金と係合し、鍵を使用して操作することによって掛け金から解放可能である一次ラッチ部材と、
一次開放位置および一次閉鎖位置で掛け金から分離される二次ラッチ部材とを備え、
掛け金を切断しそれが二次開放位置に移動することにより二次ラッチ部材が解放され、その結果掛け金が二次閉鎖位置に移動する際、二次ラッチ部材は掛け金と自由に係合する。
外れる
【０００７】
好ましくは、掛け金は、鍵を利用して操作することによって二次閉鎖位置から開放させることができ、その後掛け金を筐体から取り外して交換することができる。
【０００８】
好ましくは掛け金の第１側部は第２側部より長く、一次ラッチ部材は、掛け金の第１側部の方向に直交する方向で筐体内のスロット内で摺動可能であり、その結果掛け金が一次閉鎖位置に移動する際、一次ラッチ部材の第１端部は、その端部に隣接する掛け金の第１側部にある第１ノッチ内に収容される。
【０００９】
一次ラッチ部材は好ましくは、スロット内に配置され一次ラッチ部材を付勢して掛け金の第１側部の方に移動させる一次ラッチばねを含む。一実施形態において第１ノッチは、掛け金が一次閉鎖位置から摺動する際、一次ラッチ部材が持ち上がって第１ノッチから出ることができるように先細になった側部を含む。
【００１０】
さらに摺動部材が設けられるのが好ましく、この摺動部材は、筐体内に鍵を挿入することによって第１施錠位置と第２解錠位置との間で可動であり、第１施錠位置においてこのスライダーは一次ラッチ部材と係合して一次ラッチ部材が移動して第１ノッチから出るのを阻止し、これにより掛け金が一次開放位置に移動するのを阻止する。
【００１１】
好ましい一実施形態において摺動部材は摺動式のバーであり、その第１端部が、第２解錠位置に移動する際掛け金の第２側部の遠位端と係合して掛け金を一次開放位置へと移動させる。
【００１２】
好ましくはバーの第２端部は、一次閉鎖位置において一次ラッチ部材と係合して一次ラッチ部材の第１ノッチから出る動きを阻止する。
【００１３】
施錠機構はさらに、
掛け金の第１側部と第２側部の間に延在し、二次ラッチ部材がその中に摺動可能に配置されるスロットと、
一次閉鎖位置にあるとき掛け金の第２側部がこの部分を貫通して係合する二次ラッチ部材にある切り抜き部と、
二次ラッチばねと、
掛け金の第１側部に設けられた第二ノッチとを備えてよく、
バーがその施錠位置に移動することで二次ラッチばねを移動させて二次ラッチ部材を掛け金の第１側部の方に移動させるように一定の力を加え、掛け金の切断された部分が移動することによって二次ラッチ部材を解放して掛け金の第１側部の方に移動させ、二次閉鎖位置に戻るように移動する際二次ラッチ部材が第２ノッチに係合することができる。
【００１４】
一実施形態において筐体は第１および第２端部壁と、第１および第２側壁とを含み、第１端部壁は、掛け金の第１および第２側部を収容するための第１および第２凹部を含む。第１凹部は第２側壁に隣接して位置し、第２凹部は第１側壁に隣接して位置し、ポートは第２側壁内に位置することができる。
【００１５】
好ましくはバーは第１側壁に隣接して掛け金の第２側部と同一直線上に位置し、第１側壁は、バーと係合しかつこれを施錠位置から解錠位置に解放するように鍵を収容する鍵溝を備える。切断された掛け金を筐体内に保持するために掛け金保持器が設けられるのが好ましい。
【００１６】
好ましい一実施形態において掛け金保持器は可撓性のストリップ材であり、その第１端部は筐体内部に固定され、その第２端部は、掛け金の第１側部のその細くなった部分にもたれ掛かることで、切断された掛け金が筐体の外に向かって移動する際、第２端部がこの細くなった部分の縁部と係合して掛け金が筐体から完全に離脱するのを阻止する。
【００１７】
本発明の第２の態様によって、
筐体内に摺動可能に設置され、そのそれぞれがその長さに沿った所定の位置において中に開口を有する１つまたは複数のロックウエハーと、
筐体内を長手方向に摺動するように設置され、その長さに沿って隆起部を有する摺動部材と、
各ウエハーと係合する係合部を有する関連する鍵と、
摺動部材と連通する解除機構とを備え、
関連する鍵の係合部がウエハーと係合しこれを移動させることで、各ウエハーの開口と摺動部材の隆起部が位置合わせされ、摺動部材が施錠位置から解錠位置に長手方向に摺動することが可能になり、これにより解除機構を作動させる施錠機構が設けられる。
【００１８】
摺動部材は好ましくは開口内を通過するバーである。好ましくは各ウエハーは筐体内のスロット内に位置しており、スロットの第１端部と関連するウエハーの間にウエハーばねが設けられ、その結果鍵によってウエハーが係合することでウエハーばねが圧縮される。
【００１９】
一実施形態において、各ウエハーは概ね平坦な矩形の板であり、各開口は少なくともその長さの一部に沿って延在する。鍵は好ましくは平たいカードであり、係合部は鍵の第１縁部から一定の距離だけそれぞれ引っ込んだ切り抜き部であり、その結果各ウエハーは、各々の切り抜き部によって事前設定された距離を移動されてウエハー内の開口と位置合わせされる。
【００２０】
一実施形態において施錠機構は、
筐体と、
第１側部および第２側部を有し、第１側部および第２側部がそれぞれ筐体と係合する閉鎖位置と、第１側部が筐体と係合し、第２側部が筐体から外れる開放位置との間で摺動可能な掛け金とを備える南京錠に設けられる。
【００２１】
好ましくは掛け金の第１側部にある第１ノッチと、一次ラッチ部材と設けられ、その結果掛け金が閉鎖位置にあるとき一次ラッチの一端が第１ノッチに収容され、施錠位置にあるときバーが一次ラッチ部材と係合して、一次ラッチ部材が移動して第１ノッチから出るのを阻止し、これにより掛け金が開放位置に移動するのを阻止する。
【００２２】
好ましくは一次ラッチ部材は、スロット内に配置され、一次ラッチ部材を付勢して掛け金の第１側部の方に移動させる一次ラッチばねを含む。好ましくは第１ノッチは、掛け金が一次閉鎖位置から摺動する際、一次ラッチ部材が持ち上がって第１ノッチから出ることができるように先細になった側部を含む。
【００２３】
本発明を添付の図面を参照して一例として以下に記載する。
【図面の簡単な説明】
【００２４】
【図１ａ】一次開放位置の本発明の施錠機構を利用する南京錠と鍵の前面図である。
【図１ｂ】図１ａの南京錠と鍵の上部斜視図である。
【図２】図１ｂの南京錠の分解組立図である。
【図３】一次開放位置の図１の南京錠の前方断面図である。
【図４】一次閉鎖工程の第１ステップの図１の南京錠の前方断面図である。
【図５】一次閉鎖工程の第２ステップの図１の南京錠の前方断面図である。
【図６】一次閉鎖工程の第３ステップの図１の南京錠の前方断面図である。
【図７】一次閉鎖位置の図１の南京錠の前方断面図である。
【図８】一次開放工程の第１ステップの図１の南京錠の前方断面図である。
【図９】一次開放工程の第２ステップの図１の南京錠の前方断面図である。
【図１０】一次開放工程の第３ステップの図１の南京錠の前方断面図である。
【図１１】二次開放工程の第１ステップの図１の南京錠の前方断面図である。
【図１２】二次開放位置の図１の南京錠の前方断面図である。
【図１３】二次閉鎖位置の図１の南京錠の前方断面図である。
【図１４】二次閉鎖位置から開放する第１ステップの図１の南京錠の前方断面図である。
【図１５】二次閉鎖位置から開放された図１の南京錠の前方断面図である。
【図１６】掛け金の取り外しを示す、図１の南京錠の前方断面図である。
【図１７】交換用の掛け金の挿入を示す、図１の南京錠の前方断面図である。
【発明を実施するための形態】
【００２５】
図面を参照して施錠機構１０の第１の実施形態が示されており、これは施錠状態と解錠状態の間で可動の固定部材を有する施錠可能装置で使用することを目的としている。示される実施形態で施錠装置は、南京錠１２と、開放位置と閉鎖位置の間で可動な掛け金１４である固定部材とを備える。施錠機構１０は南京錠で示されているが、この施錠機構が他の施錠可能装置に適合される場合もあることを理解されたい。
【００２６】
南京錠１２は比較的平坦な筐体１６を備える。筐体１６は第１および第２の平行な側壁２１および２３を備える外側フレームを含んでおり、これらの側壁は筐体の対向する端部において第１および第２の平行な端部壁２５および２７によって相互に接続されている。筐体の第１側部上で第１側壁２１と第２側壁２３、および第１端部壁２５と第２端部壁２７の間に延在するように第１カバー部材１８が設けられる。筐体の第２側部上で第１側壁２１と第２側壁２３、および第１端部壁２５と第２端部壁２７の間に延在するように第２カバー部材２０が設けられる。
【００２７】
本発明の施錠機構１０は比較的平らな鍵２２を使用して開けられる。示される実施形態の鍵２２は矩形のカードであり、南京錠１２の中の鍵溝２６に収容され得る第１縁部２４を有している。示される実施形態では鍵溝２６は第１側壁２１の中に位置している。掛け金１４は第１端部壁２５から外に向かって延在している。
【００２８】
施錠機構１０は、筐体１６内に複数のロックウエハー２８を含む。ロックウエハー２８は概ね平坦な矩形のプレートであり、ウエハー２８がスロット３０内を長手方向に摺動することができるように筐体内のスロット３０に設置される。各ウエハー２８にウエハーばね３２が連結される。ウエハーばね３２が、連結されたウエハー２８上に設けられた突起２９と、スロット３０の第１端部との間で各スロット内に設けられることで、ウエハー２８がスロット３０の第１端部の方へ移動される際ウエハー２８がウエハーばね３２を圧縮する。
【００２９】
鍵溝２６は、鍵２２の第１縁部２４が鍵溝２６に挿入される際第１縁部２４がウエハー２８と係合し、ウエハー２８をスロット３０の第１端部の方へ移動させるように配置されている。鍵２２の第１縁部２４は複数の係合部３４を含んでおり、そのそれぞれがウエハー２８の１つと関連付けられている。係合部３４がそれぞれ鍵２２の縁部２４から一定の距離だけ引っ込められることで、鍵２２が挿入される際ウエハー２８は鍵２２によって事前設定された距離をそれぞれ移動する。
【００３０】
示される実施形態において、係合部３４は第１縁部２４にある切り抜き部である。代替の実施形態（図示せず）では、係合部が第１縁部２４に隣接するカードの表面に設けられた突起である場合もある。
【００３１】
ウエハー２８はそれぞれ開口３６（図２に最もよく見られる）を含んでいる。各開口３６は、ウエハー２８の長さの少なくとも一部に沿ってその長さに沿った所定の場所に設けられる。また施錠機構１０は摺動部材を含んでおり、これはウエハー２８を横切るように配置されたバー４０である。バー４０はその長さに沿って隆起部４２を含んでおり、この隆起部は施錠位置でウエハー２８の間に配置される。隆起部４２は、それらがウエハー２８内の開口３６内のみを通過することができるように寸法が決められている。よってバー４０は、ウエハー２８が移動されることで開口３６の全てがバー４０と一列に並ぶ場合のみ長手方向に自由に摺動する。施錠機構１０に関連する鍵２２の係合部３４は、縁部２４を鍵溝２６に挿入することによってこのような現象が生じるように設定される。鍵２２が挿入される際にバー４０が摺動することによって、南京錠を一次開放位置に移動させるように解除機構が設けられる。
【００３２】
掛け金１４は、筐体１６内の第１凹部４５に収容される第１側部４４と、筐体１６内の第２凹部４７に収容される第２側部４６とを備える。第１および第２側部４４、４６はそれぞれ細長い部材であり、Ｕ字型の相互接続部４８によって接合されている。第１凹部４５は、第１端部壁２５から第２端部壁２７まで筐体１６の長さ全体に延在している。
【００３３】
掛け金１４の第１側部４４は第２側部４６より長く、その結果第１側部４４は、第２側部４６より筐体１６内のさらに先まで延在する。第２凹部４７、したがって掛け金１４の第２側部４６がバー４０と同一直線上にあることで、使用中掛け金１４が閉鎖位置に移動する際、バー４０の第２側部４６がバー４０の第１端部５０と接触する。
【００３４】
閉鎖構成において第１および第２側部４４および２６は共に凹部４５および４７にそれぞれ収容される。開放構成において掛け金１４は筐体１６から離れるように摺動して、第２側部４６が第２凹部４７を出ることで掛け金１４は標準的な南京錠の様式で開けられる。
【００３５】
一次ラッチ部材５２が掛け金１４の第１側部４４と係合するように筐体１６内に設けられ、その結果一次ラッチ部材５２が掛け金１４を一次閉鎖位置に保持することができる。一次ラッチ部材５２は、筐体１６内のスロット５４内で掛け金１４の第１側部４４の方向と直交する方向に摺動可能である。一次ラッチ部材５２は、一次ラッチ部材５２を付勢して掛け金１４の第１側部４４の方に移動させるために設けられた一次ラッチばね５８を含む。掛け金１４が一次閉鎖位置に移動する際、一次ラッチ部材５２の第１端部は、その端部に隣接する掛け金１４の第１側部４４にある第１ノッチ５６に収容される。
【００３６】
第１ノッチ５６は、掛け金１４が一次閉鎖位置から摺動する際一次ラッチ部材５２が持ち上がって第１ノッチ５６から出るように先細になった側部を含む。しかしながら一次閉鎖位置にあるときは、一次ラッチ部材５２が摺動して掛け金１４の第１側部４４から離れないようにバー４０が配置されている。
【００３７】
バー４０と一次ラッチ部材５２が相互作用にすることで、掛け金１４が一次開放位置（図３に示される）と一次閉鎖位置（図７に示される）の間を行ったり来たり移動することが可能になる。一次開放位置で、バー４０の隆起部４２はウエハー２８の開口３６に収容される。一次閉鎖位置に移動するために、掛け金１４が、掛け金１４の第１側部４４の遠位端６０が一次ラッチ部材５２の第１端部に接触するまで筐体１６内に押し込まれる（図４に示される）。遠位端６０は、遠位端６０がスロット５４に沿って一次ラッチ部材５２を押すように先細にされている。図５に示されるように、一次ラッチ部材５２はその後一次ラッチばね５８によって第１ノッチ５６内に戻るように押される。
【００３８】
また図５に示されるように、掛け金１４の第２側部４６の遠位端６１がバー４０の第１端部５０と係合し、掛け金１４と同一方向にバー４０を押す。隆起部４２がウエハー２８の開口３６から出るように移動されて初めて、ウエハー２８がその後ウエハーばね３２によって自由に移動される。次いでウエハー２８が移動することで、開口３６がバー４０と位置合わせされた状態から抜けだし、これによりバー４０のさらなる移動が阻止される。バー４０の第２端部５１はこのとき一次ラッチ部材５２の第２端部と隣接し、これにより一次ラッチ部材５２が掛け金１４の第１側部４４から離れるように移動するのを阻止する。掛け金１４はこのとき一次閉鎖位置にある。
【００３９】
鍵２２を挿入することによって掛け金１４を一次開放位置に戻るように移動させることができる。鍵２２の係合部３４がウエハー２８と係合し、ウエハー２８を正しい距離だけ移動させることで、そこにある開口３６がバー４０と位置合わせされる。その後隆起部４２は開口３６内を通って自由に移動する。鍵２２はまた鍵溝２６内で摺動ばね６２と係合し、この摺動ばねはバー４０と係合する。これにより鍵溝２６への鍵２２の挿入がバー４０に対して作用してそれを掛け金１４の第２側部４６の端部６１の方へ移動させる。摺動ばね６２は最も端のウエハー２８に対しても作用し、そのウエハーのためのウエハーばねの機能を形成することに留意されたい。
【００４０】
バー４０が掛け金１４の方へ移動することで一次ラッチ部材５２が解放され、その結果それは自由に持ち上がって第１ノッチ５６から出て掛け金１４を解放し、バー４０の第１端部５０が、掛け金１４の第２側部４６の遠位端６１と係合して掛け金１４を一次開放位置へと移動させる。
【００４１】
南京錠１２の筐体１６はポート６５を含んでおり、掛け金１４の第１側部４４の一部がこれを貫通して露出する。ポート６５が設けられることで、掛け金１４の第１側部４４をボルトカッターなどの適切な工具によって切断し、これにより掛け金１４を一次閉鎖位置から二次開放位置へと解放することができる。施錠機構１０はまた、二次開放位置から二次閉鎖位置に移動する際に掛け金１４を固定するために二次ラッチ部材６６を備えている。
【００４２】
ポート６５は、掛け金１４の第１側部４４を第１ノッチ５６に隣接して切断することができるように設けられており、その結果第１ノッチ５６を有する第１側部４４の部分は保持され、その後掛け金１４の残りの部分は第２開放位置に自由に移動する（図１１に見ることができるように）。
【００４３】
切断された掛け金１４が筐体１６から完全に出てしまうのを阻止するために掛け金保持器６８が設けられる。掛け金保持器６８は可撓性のストリップ材であり、その第１端部は筐体１６内部に固定され、その第２端部は掛け金１４の第１側部４４にもたれ掛かっている。
【００４４】
第２端部が第１側部４４とその細くなった部分７０で係合することで、切断された掛け金１４が筐体から外向きに移動する際、（図１２に示されるように）第２端部がこの細くなった部分７０の縁部と係合して掛け金１４が筐体１６から完全に外れるのを阻止する。
【００４５】
二次ラッチ部材６６は、筐体１６の第１端部壁２５に隣接して掛け金１４の第１側部４４と第２側部４６の間に延在するように設けられたスロット内に摺動可能に配置された細長い部材である。一次開放構成および一次閉鎖構成において、二次ラッチ部材６６は掛け金１４の第２側部４６に隣接しており、掛け金の第２側部４６がそこを貫通して摺動するように設けられた切り抜き部７２を含む。第２側部４６が切り抜き部７２の中を通過する際、二次ラッチ部材６６が掛け金１４の第１側部４４の方に摺動するのが阻止される。
【００４６】
二次ラッチばね７４が、バー４０の第１端部５０から延出するように設けられた横向きの端部部分７６と係合して設けられる。一次閉鎖位置に移動する際バー４０が掛け金１４から離れるように移動することによって二次ラッチばね７４を移動させ、その結果それが二次ラッチ部材６６と係合して二次ラッチ部材６６を掛け金１４の第１側部４４の方に移動させるように一定の力を加える。しかしながら掛け金１４第２側部４６が切り抜き部７２内に収容されるため、二次ラッチばね７４の力が二次ラッチ部材６６を移動させることはない。
【００４７】
掛け金１４が切断される際バー４０は依然として施錠位置にある。掛け金１４が筐体１６から出るように移動する際、その第２側部４６が切り抜き部７２から分離する。したがって二次ラッチ部材６６が掛け金１４の第１側部４４の方へ移動されて、それと係合する。掛け金１４が二次開放位置にあるとき第２ノッチ７８が筐体１６の外にあるように、掛け金１４の第１側部４４に第２ノッチ７８が設けられる。よって掛け金１４を筐体１６内に戻るように押し込むことができ、（図１３に見ることができるように）二次ラッチ部材６６は第２ノッチ７８と係合して掛け金１４を二次閉鎖位置に保持する。
【００４８】
二次閉鎖位置から上記に記載するように鍵２２を挿入することにより、バー４０を再び掛け金１４の方へ移動させることができる。この動作が二次ラッチばね７４を移動させるように作用することで、（図１４に示されるように）ばねが二次ラッチ部材６６を二次閉鎖位置から出るように引っ張る。ここから、掛け金保持器６８を屈曲させるのに十分な力を与えることによって（図１６に示されるように）切断された掛け金１４を筐体１６から完全に引っ張り出すことができる。
【００４９】
この後図１７に示されるように、交換用の掛け金１４をその第１側部を摺動させることによって第１凹部４５に挿入することができる。交換用掛け金１４を間違った進路で反対方向に挿入しないように、掛け金１４の第２側部４６の遠位端６１および対応する第２凹部４７は、第１側部４４および第１凹部４５より細くなっている。第１側部４４の遠位端６０は、切断された掛け金１４の残った部分と係合する。力が加えられることによって一次ラッチ部材５２が持ち上がって第１ノッチ５６から出てこの残った部分を解放する。切断された掛け金１４の残った部分はこれにより、筐体１６の第２端縁部２７から押し出される。
【００５０】
使用中南京錠１２は、標準的な方法で施錠および解錠するように操作することができる。掛け金は、それを筐体１６内に押し込むことによって標準的な方法で一次閉鎖位置へと移動され、先に記載したように鍵２２を挿入することによって一次開放位置へと解錠される。
【００５１】
例えば空港の警備スタッフの一員など鍵２２を持たない人間が南京錠を開ける必要がある場合、ポート６５を介して掛け金１４を切ることができる。掛け金１４はその後二次開放位置に移動し、南京錠１２によって保証されている荷物にアクセスすることが可能になる。南京錠はその後掛け金１４を筐体内に戻るように押し込んで二次閉鎖位置にすることで今まで通り閉鎖することができる。この位置から南京錠の所有者は、鍵２２を使用して今まで通り南京錠１２を開けることができるだけでなく、ポート６５内に切断された掛け金１４を見ることができることによって南京錠が開けられたことの視覚的な指示を有することができる。鍵２２の所有者によって再び開けられる際、切断された掛け金１４もまた記載されるように交換されて南京錠１２を元の作用構成に戻すことができる。
【００５２】
本発明の基本となる進歩的な概念から逸脱することなく、既に記載したものに加えて、上記の実施形態に様々な修正および改良を行なうことができることは当業者には容易であるように思われる。
【符号の説明】
【００５３】
１０  施錠機構
１２  南京錠
１４  掛け金
１６  筐体
１８  第１カバー部材
２０  第２カバー部材
２１  第１側壁
２２  鍵
２３  第２側壁
２４  縁部
２５  第１端部壁
２６  鍵溝
２７  第２端部壁
２８  ウエハー
２９  ウエハーの突起
３０  スロット
３２  ウエハーばね
３４  係合部
３６  ウエハーの開口
４０  バー
４２  バーの隆起部
４４  掛け金の第１側部
４５  第１凹部
４６  掛け金の第２の側部
４７  掛け金の第２凹部
４８  相互接続部
５０  バーの第１端部
５１  バーの第２端部
５２  一次ラッチ部材
５４  スロット
５６  第１ノッチ
５８  一次ラッチばね
６０  第１側部の遠位端
６１  第２側部の遠位端
６２  摺動ばね
６５  ポート
６６  二次ラッチ部材
６８  掛け金保持器
７０  第１側部の細くなった部分
７２  切り抜き部
７４  二次ラッチばね
７６  バーの端部部分
７８  第２ノッチ
【図１】
2012519243.tif 000003
【図１ａ】
2012519243.tif 000004
【図２】
2012519243.tif 000005
【図３】
2012519243.tif 000006
【図４】
2012519243.tif 000007
【図５】
2012519243.tif 000008
【図６】
2012519243.tif 000009
【図７】
2012519243.tif 000010
【図８】
2012519243.tif 000011
【図９】
2012519243.tif 000012
【図１０】
2012519243.tif 000013
【図１１】
2012519243.tif 000014
【図１２】
2012519243.tif 000015
【図１３】
2012519243.tif 000016
【図１４】
2012519243.tif 000017
【図１５】
2012519243.tif 000018
【図１６】
2012519243.tif 000019
【図１７】
2012519243.tif 000020
【国際調査報告】
2012519243.tif 000021
2012519243.tif 000022
2012519243.tif 000023
2012519243.tif 000024